(57)【要約】【課題】記録装置を大型化することなく通信端末の設置スペースを確保すること。【解決手段】記録装置１は、プリンタ筐体２と、プリンタ筐体２内に配置され、記録用紙１００に記録を行うプリンタ部４と、プリンタ筐体２内に形成され、プリンタ部４で記録された記録用紙１００が排出される排出部６と、排出部６に設けられ、通信端末２００を設置可能な端末設置部３９と、端末設置部３９に設置された通信端末２００と近距離無線通信によって通信可能なアンテナ４１と、を備えている。【選択図】図１
2014004687.tif 000002
【特許請求の範囲】
【請求項１】
筐体と、
前記筐体内に配置され、被記録媒体に記録を行う記録部と、
前記筐体内に形成され、前記記録部で記録された前記被記録媒体が排出される排出部と、
前記排出部に設けられ、通信端末を設置可能な端末設置部と、
前記端末設置部に設置された前記通信端末と近距離無線通信によって通信可能な通信部と、
を備えていることを特徴とする記録装置。
【請求項２】
前記端末設置部は、前記記録部で記録された前記被記録媒体が載置される前記排出部の排出面に設けられていることを特徴とする請求項１に記載の記録装置。
【請求項３】
前記端末設置部は、前記排出部の排出面に形成された、前記通信端末を収容可能な凹部であることを特徴とする請求項２に記載の記録装置。
【請求項４】
前記端末設置部は、前記排出部の排出面の、前記被記録媒体の排出方向と直交する前記被記録媒体の幅方向における端側の領域に形成され、且つ、前記被記録媒体の排出方向に沿って延びる溝であることを特徴とする請求項２に記載の記録装置。
【請求項５】
前記端末設置部は、前記排出部の排出面から離れた位置に設けられていることを特徴とする請求項２に記載の記録装置。
【請求項６】
前記排出部の上方に、操作パネルと、この操作パネルを制御するパネル制御基板と、が配置され、
前記パネル制御基板に、前記通信部が配置されていることを特徴とする請求項１〜５の何れかに記載の記録装置。
【請求項７】
前記排出部には、この排出部から前記被記録媒体の排出側へ飛び出る補助トレイが設けられ、
前記補助トレイの上面が、前記通信端末が設置される前記端末設置部であることを特徴とする請求項１〜６の何れかに記載の記録装置。
【請求項８】
前記補助トレイに、前記通信部が設けられていることを特徴とする請求項７に記載の記録装置。
【請求項９】
前記端末設置部の位置を示すマークが付されていることを特徴とする請求項１〜８の何れかに記載の記録装置。
【発明の詳細な説明】
【技術分野】
【０００１】
本発明は、被記録媒体に文字や画像などを記録する記録装置に関する。
【背景技術】
【０００２】
被記録媒体に文字や画像などを記録する記録装置の分野において、近年、ＮＦＣ（Near Field Communication）等の近距離無線通信によって、別の通信端末とのデータ通信が可能に構成されたものが提案されている。
【０００３】
例えば、特許文献１に記載のコピー機能、プリンタ機能、ファクシミリ機能、スキャナ機能を備えた記録装置（複合機）は、通信端末（ＩＣカード）と通信可能なカードリーダライタを備えており、通信端末と近距離無線通信により無線通信を行う。記録装置は、通信端末と無線通信を行うことにより、通信端末内に記憶されている記録装置へのログイン情報等のデータを取得可能となっている。
【先行技術文献】
【特許文献】
【０００４】
【特許文献１】特開２００８−１２３４７６号公報
【発明の開示】
【発明が解決しようとする課題】
【０００５】
特許文献１に記載の記録装置のように、通信端末と近距離無線通信を行う記録装置においては、通信端末と記録装置とを近づけるため、記録装置の上面に端末を設置できれば、通信端末と記録装置との通信が確実となって好ましい。しかしながら、一般的な記録装置の上面には、操作パネルやスキャナ等が配置されており、通信端末を設置可能な場所を確保することが難しい。また、無理に設置場所を確保しようとすると装置が大型化する。
【０００６】
本発明の目的は、記録装置を大型化することなく通信端末の設置スペースを確保することを目的とする。
【課題を解決するための手段】
【０００７】
第１の発明に係る記録装置は、筐体と、前記筐体内に配置され、被記録媒体に記録を行う記録部と、前記筐体内に形成され、前記記録部で記録された前記被記録媒体が排出される排出部と、前記排出部に設けられ、通信端末を設置可能な端末設置部と、前記端末設置部に設置された前記通信端末と近距離無線通信によって通信可能な通信部と、を備えていることを特徴とする。
【０００８】
本発明では、被記録媒体が排出される排出部に、通信端末を設置可能な端末設置部が設けられている。排出部は、被記録媒体が排出され、且つ、排出された被記録媒体をユーザが取り出しやすいように、手前側（ユーザ側）に大きく開口している。従って、このような排出部に、ユーザが通信端末を設置することは容易である。そして、排出部に端末設置部が設けられることによって、空いているスペースを有効に利用し、記録装置を大型化することなく通信端末の設置スペースを確保可能である。
【０００９】
第２の発明に係る記録装置は、第１の発明に係る記録装置において、前記端末設置部は、前記記録部で記録された前記被記録媒体が載置される前記排出部の排出面に設けられていることを特徴とする。
【００１０】
本発明によると、端末設置部が、記録部で記録された被記録媒体が載置される排出部の排出面に設けられているから、ユーザが通信端末を設置することが容易である。
【００１１】
第３の発明に係る記録装置は、第２の発明に係る記録装置において、前記端末設置部は、前記排出部の排出面に形成された、前記通信端末を収容可能な凹部であることを特徴とする。
【００１２】
本発明によると、通信端末が、排出部の排出面に形成された凹部に収容されるため、排出面に沿って排出される被記録媒体が、通信端末に接触しにくい。
【００１３】
第４の発明に係る記録装置は、第２の発明に係る記録装置において、前記端末設置部は、前記排出部の排出面の、前記被記録媒体の排出方向と直交する前記被記録媒体の幅方向における端側の領域に形成され、且つ、前記被記録媒体の排出方向に沿って延びる溝であることを特徴とする。
【００１４】
本発明によると、端末設置部が、排出部の排出面の、被記録媒体の排出方向と直交する被記録媒体の幅方向における端側の領域に形成され、且つ、被記録媒体の排出方向に沿って延びる溝であることから、通信端末が平たい形状である場合、排出部の端部に形成された溝に、通信端末を立てた状態で差し込むことで、通信端末を、排出部の内側面に沿って配置することができる。従って、排出される被記録媒体が、通信端末に接触しにくい。
【００１５】
第５の発明に係る記録装置は、第２の発明に係る記録装置において、前記端末設置部は、前記排出部の排出面から離れた位置に設けられていることを特徴とする。
【００１６】
本発明によると、端末設置部が、排出部の排出面から離れた位置に設けられていることから、通信端末が排出部の排出面から離れた位置に設置されるため、排出面に沿って排出される被記録媒体が、通信端末に接触しにくい。
【００１７】
第６の発明に係る記録装置は、第１〜第５の発明に係るいずれかの記録装置において、前記排出部の上方に、操作パネルと、この操作パネルを制御するパネル制御基板と、が配置され、前記パネル制御基板に、前記通信部が配置されていることを特徴とする。
【００１８】
本発明によると、通信端末が設置される排出部の上方に、パネル制御基板が配置され、パネル制御基板に通信部が配置されることから、通信端末と通信部との間の通信を良好に行うことができる。また、通常、パネル制御基板は、操作パネルの裏側に位置する。つまり、操作パネルは、パネル制御基板を挟んで、通信端末と反対側に位置する。従って、パネル制御基板に設けられた通信部と通信端末との無線通信が、導電体を多数含む操作パネルによって妨げられない。
【００１９】
第７の発明に係る記録装置は、第１〜第６の発明に係るいずれかの記録装置において、前記排出部には、この排出部から前記被記録媒体の排出側へ飛び出る補助トレイが設けられ、前記補助トレイの上面が、前記通信端末が設置される前記端末設置部であることを特徴とする。
【００２０】
本発明によると、補助トレイの上面が、通信端末が設置される端末設置部であるから、排出部から飛び出た補助トレイに、通信端末が設置されることで、通信端末によって、排出部から排出されてきた被記録媒体が、外に飛び出すことが確実に防止される。
【００２１】
第８の発明に係る記録装置は、第７の発明に係る記録装置において、前記補助トレイに、前記通信部が設けられていることを特徴とする。
【００２２】
本発明によると、補助トレイに通信部が設けられているから、補助トレイに設置された通信端末と通信部との距離が非常に短くなり、無線通信を良好に行うことができる。
【００２３】
第９の発明に係る記録装置は、第１〜第８の発明に係るいずれかの記録装置において、前記端末設置部の位置を示すマークが付されていることを特徴とする。
【００２４】
本発明によると、端末設置部の位置を示すマークが付されていることから、ユーザが、通信端末を設置する場所を容易に認識できる。
【発明の効果】
【００２５】
本発明によれば、被記録媒体が排出される排出部に、通信端末を設置可能な端末設置部が設けられている。排出部は、被記録媒体が排出され、且つ、排出された被記録媒体をユーザが取り出しやすいように、手前側（ユーザ側）に大きく開口している。従って、このような排出部に、ユーザが通信端末を設置することは容易である。そして、排出部に端末設置部が設けられることによって、空いているスペースを有効に利用し、記録装置を大型化することなく通信端末の設置スペースを確保可能である。
【図面の簡単な説明】
【００２６】
【図１】本発明の実施形態に係るインクジェットプリンタの斜視図である。
【図２】本発明の実施形態に係るインクジェットプリンタの正面図である。
【図３】図２のI-I線における断面図である。
【図４】図３のII-II線における断面図である。
【図５】給紙カセットの斜視図である。
【図６】インクジェットプリンタの電気的構成を概略的に示すブロック図である。
【図７】一変形例に係る端末設置部の構成を示す図である。
【図８】他の変形例に係る端末設置部の構成を示す図である。
【図９】他の変形例に係る端末設置部の構成を示す図である。
【図１０】他の変形例に係る端末設置部の構成を示す図である。
【発明を実施するための形態】
【００２７】
以下、本発明の実施形態について説明する。図１は、本実施形態に係るインクジェットプリンタの斜視図である。なお、図１に示される、インクジェットプリンタが使用されるときの設置状態において、上下、左右、前後の各方向が定義されている。図２は、インクジェットプリンタの正面図、図３は、図２のI-I線におけるインクジェットプリンタの断面図、図４は、図３のII-II線におけるインクジェットプリンタの断面図である。
【００２８】
図１に示すように、インクジェットプリンタ１（記録装置）は、合成樹脂材料で形成されたプリンタ筐体２（筐体）と、このプリンタ筐体２に回動自在に取り付けられたカバー３と、を有する。プリンタ筐体２の前方には、プリンタ筐体２の上壁２ａ、側壁２ｂ、２ｃ、底壁２ｄによって囲まれた開口が形成されている。図３に示すように、上壁２ａの上面には、インクジェットプリンタ１の制御に関するさまざまな回路が組み込まれた制御基板２９が、水平な姿勢で配置されている。なお、図４においては、上壁２ａ、制御基板２９を省略して図示している。
【００２９】
図３、図４に示すように、プリンタ筐体２には、記録用紙１００（被記録媒体）に画像等を記録するプリンタ部４（記録部）と、プリンタ部４に記録用紙１００を供給する給紙機構５と、プリンタ部４で記録された記録用紙１００が排出される排出部６と、プリンタ部４のインクジェットヘッド１８のメンテナンスを行うメンテナンスユニット７と、記録用紙に記録された画像や文字などを読み取るスキャナ部８と、が収容されている。また、プリンタ筐体２の上面の前方には、ユーザによるインクジェットプリンタ１の各種操作を受け付けるための操作パネル９が配置されている。なお、各部の構成については後述する。
【００３０】
図１、図４に示すように、プリンタ筐体２の前面の右端には、開閉蓋１０が取り付けられ、この開閉蓋１０の後方にインクカートリッジ１１が装着されるホルダ１２が配置されている。このホルダ１２は、４つのカートリッジ装着部１２ａを有し、これら４つのカートリッジ装着部１２ａには、４色（シアン（Ｃ）、マゼンタ（Ｍ）、イエロー（Ｙ）、ブラック（ＢＫ））のインクをそれぞれ貯留する４つのインクカートリッジ１１が、前方からそれぞれ取り外し可能に装着される。
【００３１】
図１に示すように、カバー３は、プリンタ筐体２の上方において、プリンタ筐体２の上面を覆うように、プリンタ筐体２の操作パネル９よりも後方に配置されている。また、カバー３は、その後端部に設けられた図示しない回転軸を介してプリンタ筐体２に取り付けられており、回転軸を中心に、プリンタ筐体２に対して上下に回動自在となっている。
【００３２】
図３に示すように、給紙機構５は、プリンタ筐体２に装着される給紙カセット１５と、この給紙カセット１５から記録用紙１００を取り出すピックアップローラ１６と、を有する。給紙カセット１５は、積み重ねられた記録用紙１００を保持するメイントレイ１５ａと、このメイントレイ１５ａの上方に設けられ、後述のプリンタ部４によって記録された記録用紙１００が排出される排紙トレイ１５ｂと、を有する。ピックアップローラ１６は、メイントレイ１５ａの上方に配置され、プリンタ筐体２に設けられた回転軸を中心に回転自在に構成されており、給紙モータ８０（図６参照）によって駆動されることによって給紙カセット１５のメイントレイ１５ａから記録用紙１００を１枚ずつ取り出す。ピックアップローラ１６によって取り出された記録用紙１００は、給紙カセット１５の先端部に設けられた傾斜面１５ｃに沿って上方へ押し上げられ、プリンタ部４に供給される。
【００３３】
図３、図４に示すように、プリンタ部４は、プリンタ筐体２内に配置され、記録用紙１００に記録を行う。プリンタ部４は、給紙機構５の上方に配置されている。また、プリンタ部４は、左右方向（走査方向）に往復移動可能なキャリッジ１７、キャリッジ１７に搭載されたインクジェットヘッド１８、記録用紙１００を水平面に沿って前方（排出方向）に搬送する搬送機構１９等を有する。
【００３４】
プリンタ筐体２内には、記録用紙１００を支持するプラテン２０が水平な姿勢で設置されている。このプラテン２０の上方には、走査方向に平行に延びる２つのガイドレール２１、２２が設けられている。そして、キャリッジ１７は、キャリッジ駆動モータ７８（図６参照）によって駆動されることによって、プラテン２０上の記録用紙１００と対向する領域において、２本のガイドレール２１、２２に沿って走査方向（左右方向）に移動する。
【００３５】
また、インクジェットヘッド１８は、プラテン２０との間に隙間を有する状態でキャリッジ１７の下部に取り付けられている。このインクジェットヘッド１８の下面は複数のノズル２３が開口した液滴噴射面１８ａとなっている。また、複数のノズル２３は排出方向に沿って配列されて、４色のインク（シアン、マゼンタ、イエロー、ブラック）をそれぞれ噴射する４列のノズル列を構成している。また、キャリッジ１７に搭載されたインクジェットヘッド１８は、上述したホルダ１２とそれぞれチューブ（不図示）によって接続されており、ホルダ１２に装着された４つのインクカートリッジ１１に貯留された４色のインクが、チューブを介してインクジェットヘッド１８にそれぞれ供給される。
【００３６】
また、インクジェットヘッド１８は、キャリッジ１７とともに、プラテン２０上を搬送される記録用紙１００と対向する範囲だけでなく、この範囲から左右外側に外れた位置まで移動可能である。特に、図４に示すように、記録用紙１００と対向する範囲よりも右側の位置は、インクジェットヘッド１８を使用しないときにキャリッジ１７が待機する待機位置であり、待機位置に到達したときに、下側に配置されている後述のメンテナンスユニット７と対向するようになっている。
【００３７】
搬送機構１９は、プラテン２０及びキャリッジ１７を挟むように前後に配置された２つの搬送ローラ対２４、２５を有する。これらの搬送ローラ対２４、２５は、搬送モータ７９（図６参照）によってそれぞれ駆動され、インクジェットヘッド１８とプラテン２０の間において、記録用紙１００を前方（排出方向）へ搬送する。
【００３８】
以上のとおり説明したプリンタ部４は、プラテン２０上の記録用紙１００に対して、キャリッジ１７を走査方向（左右方向）に移動させつつインクジェットヘッド１８からインクを噴射させる一方で、２つの搬送ローラ対２４、２５によって記録用紙１００を排出方向に搬送することにより、記録用紙１００に所望の画像や文字などを記録するように構成されている。
【００３９】
図１〜図３に示すように、プリンタ筐体２の前方であって、操作パネル９の下方には、上壁２ａ、側壁２ｂ、２ｃ、底壁２ｄによって囲まれた上述の開口が形成されている。この開口の下部の底面２ｄ上に給紙カセット１５が装着される。給紙カセット１５は、プリンタ筐体２に対して取り外し可能となっている。排出部６は、この給紙カセット１５上面の排紙トレイ１５ｂ（排出面）、並びに、排紙トレイ１５ｂ及びプリンタ筐体２の上壁２ａ、側壁２ｂ、２ｃにより囲まれた、給紙カセット１５上方の開口部分である。プリンタ部４で記録された記録用紙１００は、搬送ローラ対２４、２５により前方に搬送され、排出部６の排紙トレイ１５ｂに載置される。このように、排出部６は、プリンタ筐体２内に形成され、排出部６に、プリンタ部４で記録された記録用紙１００が排出される。この排出部６の前方から、ユーザは、排紙トレイ１５ｂに載置された記録用紙１００を取り出すことができる。
【００４０】
図４に示すように、メンテナンスユニット７は、プラテン２０の右側の位置、すなわち、待機位置において待機しているインクジェットヘッド１８と対向する位置に配置されている。このメンテナンスユニット７は、インクジェットヘッド１８の液滴噴射面１８ａに密着することによって複数のノズル２３の開口を覆うキャップ部材２６、キャップ部材２６により覆われた複数のノズル２３からキャップ部材２６へインクを強制的に排出する吸引ポンプ２７、液滴噴射面１８ａに付着したインクを拭き取るワイパー２８等を有する。
【００４１】
図３に示すように、スキャナ部８は、左右方向に往復移動可能なキャリッジ３０と、キャリッジ３０に搭載されたイメージスキャナ３１と、を有している。プリンタ筐体２内の上部には、走査方向（左右方向）に平行に延びるガイドレール３２が設けられている。そして、キャリッジ３０は、キャリッジ駆動モータ（不図示）によって駆動されることによって、プリンタ筐体２内の開口１３に嵌め込まれた板部材１４と対応する領域においてガイドレール３２に沿って走査方向（左右方向）に移動するとともに、イメージスキャナ３１により記録用紙１００がスキャンされる。すなわち、本実施形態のインクジェットプリンタ１は、プリント、スキャン、コピーなどを実行可能な複合機として構成されている。
【００４２】
図１、図３に示すように、操作パネル９は、プリンタ筐体２の上面の前方、且つ、排出部６の上方に設けられており、各種の操作ボタン３３〜３６やタッチパネル式の液晶ディスプレイ３７などを有している。液晶ディスプレイ３７は、各種の情報を表示し、ユーザは、この液晶ディスプレイ３７を操作して、インクジェットプリンタ１に各種動作を指示することが可能である。この操作パネル９には、液晶ディスプレイ３７等の導電体が多数配置されている。この操作パネル９の下方には、図３に示すように、操作パネル９を制御するパネル制御基板３８が設けられている。パネル制御基板３８には、操作パネル９を制御するためのパネル制御回路８１（図６参照）等が組み込まれている。
【００４３】
本実施形態に係るインクジェットプリンタ１は、携帯電話やスマートフォン等の通信端末２００と、近距離無線通信の一種である、ＮＦＣによる通信を行い、通信端末２００から画像や文字などの記録データの受信が可能となっている。以下、近距離無線通信に関連するインクジェットプリンタ１の構成について説明する。
【００４４】
図１〜図４に示すように、排出部６には、通信端末２００を設置可能な端末設置部３９が設けられている。具体的には、端末設置部３９は、図５にも示すように、プリンタ部４で記録された記録用紙１００が載置される排紙トレイ１５ｂに設けられた凹部である。また、端末設置部３９は、排紙トレイ１５ｂの前端の中央部分に略矩形状に形成されている。また、端末設置部３９は、通信端末２００を収容可能な広さで、なおかつ、通信端末２００が設置された状態で、端末設置部３９から通信端末２００が上方に突出しない深さとなっている。ユーザは、排出部６前方から、この端末設置部３９に通信端末２００を容易に設置することができる。給紙カセット１５の端末設置部３９の下方には、端末設置部３９の位置を示すマーク４０（本実施形態では矢印）が付されている。
【００４５】
図３に示すように、アンテナ４１（通信部）は、端末設置部３９に設置された通信端末２００とＮＦＣによって通信可能となっている。具体的には、アンテナ４１は、ループ状のアンテナであって、パネル制御基板３８の下面（裏面）に配置されている。また、アンテナ４１は、略水平な姿勢で配置されているパネル制御基板３８の下面に配置されることで、ループ部分が水平方向と略平行となっている。また、アンテナ４１は、端末設置部３９の略直上に配置されており、端末設置部３９とアンテナ４１との距離Ｌは、ＮＦＣによる最大通信可能距離である１０ｃｍ以内となっている。通信端末２００には、図示しないループ状のアンテナが、そのループ部分が、通信端末２００の厚さ方向と直交する方向と略平行となるように内蔵されているから、端末設置部３９の水平な底面に通信端末２００が設置されると、インクジェットプリンタ１のアンテナ４１と通信端末２００のアンテナとは、ループ部分が略平行に対向する。
【００４６】
端末設置部３９に通信端末２００が設置されると、インクジェットプリンタ１側のアンテナ４１と通信端末２００側のアンテナとの間でＮＦＣによる通信が行われる。詳細には、インクジェットプリンタ１側のループ状のアンテナ４１と通信端末のループ状のアンテナの、一方のアンテナから磁界が発生すると、電磁誘導によって他方のアンテナに誘導電流が生じることによって、一方のアンテナから他方のアンテナによりデータが受信される。そして、双方のアンテナの送信（磁界発生）と受信（誘導電流発生）の機能を交互に切り換えることによって、インクジェットプリンタ１と通信端末２００の間での双方向通信が可能となる。
【００４７】
次に、インクジェットプリンタ１の電気的な構成について説明する。図６は、インクジェットプリンタ１の電気的構成を概略的に示すブロック図である。インクジェットプリンタ１の動作を制御する制御基板２９は、外部装置であるＰＣ３００と、入出力インターフェース（Ｉ／Ｆ）７１を介してデータ通信可能に接続されており、ＰＣ３００から、記録する画像や文字などの記録データが入力される。また、制御基板２９には、パネル制御回路８１が組み込まれたパネル制御基板３８が接続されており、操作パネル９からの各種操作が、パネル制御回路８１を介して、インクジェットプリンタ１の動作に関する各種信号として制御基板２９に入力される。
【００４８】
制御基板２９には、受信した記録データに基づいてインクジェットヘッド１８等を有するプリンタ部４の記録動作を制御する記録制御回路７２、給紙機構５による給紙動作を制御する給紙制御回路７３、メンテナンスユニット７によるメンテナンス動作を制御するメンテナンス制御回路７４、スキャナ部８による記録用紙のスキャンを制御するスキャナ制御回路７５、通信端末２００とのＮＦＣによるデータ通信を制御する通信制御回路７６等、種々の回路が組み込まれている。
【００４９】
以下、通信制御回路７６によって制御されるＮＦＣによる通信（記録データの受信）について説明する。通信制御回路７６は、アンテナ４１の通信モジュール４１ａと接続されている。インクジェットプリンタ１において、ＮＦＣによる通信端末２００との通信は、ユーザが操作パネル９の液晶ディスプレイ３７を操作して所定の指令を入力することによって開始される。通信開始の指令が入力されると、通信制御回路７６は、通信端末２００と通信を行う。このとき、ユーザによって通信端末２００が端末設置部３９に設置され、通信端末２００との通信が正常であれば、そのまま記録データの受信が完了する。一方、所定の時間経過しても、通信端末２００との通信が正常でなければ、液晶ディスプレイ３７に通信が正常ではない旨のメッセージを表示させる。このようにして、アンテナ４１によって受信された記録データは、ＰＣ３００から受信した記録データと同様に、通信制御回路７６から記録制御回路７２へ送られ、この記録データに基づいてプリンタ部４による記録動作が制御される。
【００５０】
以上説明した本実施形態に係る記録装置１は、プリンタ筐体２と、プリンタ筐体２内に配置され、記録用紙１００に記録を行うプリンタ部４と、プリンタ筐体２内に形成され、プリンタ部４で記録された記録用紙１００が排出される排出部６と、排出部６に設けられ、通信端末２００を設置可能な端末設置部３９と、端末設置部３９に設置された通信端末２００と近距離無線通信によって通信可能なアンテナ４１と、を備えている。
【００５１】
このように構成された本実施形態に係る記録装置１では、記録用紙１００が排出される排出部６に、通信端末２００を設置可能な端末設置部３９が設けられている。排出部６は、記録用紙１００が排出され、且つ、排出された記録用紙１００をユーザが取り出しやすいように、手前側（ユーザ側）に大きく開口している。従って、このような排出部６に、ユーザが通信端末２００を設置することは容易である。そして、排出部６に端末設置部３９が設けられることによって、空いているスペースを有効に利用し、装置を大型化することなく通信端末２００の設置スペースを確保可能である。また、通信端末２００は、大きく開口した排出部６に設置されるため、ユーザから通信端末２００を視認しやすく、通信端末２００を端末設置部３９に置き忘れることを防止することができる。
【００５２】
また、端末設置部３９が、プリンタ部４で記録された記録用紙１００が載置される排出部６の排紙トレイ１５ｂに設けられているから、ユーザが通信端末２００を設置することが容易である。
【００５３】
また、端末設置部３９が、排出部６の排紙トレイ１５ｂに形成された、通信端末２００を収容可能な凹部であるから、通信端末２００が、排出部６の排紙トレイ１５ｂに形成された凹部に収容されるため、排出される記録用紙１００が、通信端末２００に接触しにくい。
【００５４】
また、排出部の上方６に、操作パネル９と、この操作パネル９を制御するパネル制御基板３８と、が配置され、パネル制御基板３８に、アンテナ４１が配置されているから、通信端末２００とアンテナ４１との間の通信を良好に行うことができる。また、パネル制御基板３８は、操作パネル９の裏側に位置する。つまり、操作パネル９は、パネル制御基板３８を挟んで、通信端末２００と反対側に位置する。従って、パネル制御基板３８に設けられたアンテナ４１と通信端末２００との無線通信が、多数の導電体を含む操作パネル９によって妨げられない。
【００５５】
また、端末設置部３９の位置を示すマーク４０が付されているから、ユーザが、通信端末２００を設置する場所を容易に認識できる。
【００５６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５７】
一変形例に係る記録装置においては、図７に示すように、端末設置部４２は、排出部６の排紙トレイ１５ｂから離れた位置に設けられている。具体的には、端末設置部４２は、排紙トレイ１５ｂの上方において、プリンタ筐体２の側壁２ｂから水平方向に延びた排出部６に設けられた台であって、通信端末２００をこの台上に設置可能となっている。この変形例によれば、端末設置部４２が、排出部６の排紙トレイ１５ｂから離れた位置に設けられているから、通信端末２００が排出部６の排紙トレイ１５ｂから離れた位置に設置されるため、排紙トレイ１５ｂに沿って排出される記録用紙１００が、通信端末２００に接触しにくい。また、パネル制御基板３８に設けられたアンテナ４１との距離が、上述の実施形態に比べて短くなるため、アンテナ４１と通信端末２００との無線通信が良好となる。
【００５８】
他の変形例に係る記録装置においては、図８及び図９に示すように、端末設置部４３は、排出部６の排紙トレイ１５ｂの、記録用紙１００の排出方向と直交する記録用紙１００の幅方向における端側の領域に形成され、且つ、記録用紙１００の排出方向に沿って延びる溝である。この場合、アンテナ４１は、端末設置部４３と平行に設けられる。例えば、アンテナ４１は、インクカートリッジ１１を制御するカートリッジ制御回路（不図示）が組み込まれるカートリッジ制御基板（不図示）やプリンタ筐体２の側面に端末設置部４３と平行に設けることができる。この変形例によれば、平たい形状の通信端末２００を、排出部６の端部に形成された溝に、通信端末２００を立てた状態で差し込むことで、通信端末２００を、排出部６の内側面に沿って配置することができる。従って、排出される記録用紙１００が、通信端末２００に接触しにくい。
【００５９】
他の変形例に係る記録装置においては、図１０に示すように、補助トレイ４４の上面が、通信端末２００が設置される端末設置部４５となっている。補助トレイ４４は、排出部６の排紙トレイ１５ｂから記録用紙１００の排出側へ飛び出るようになっている。具体的には、補助トレイ４４は、後端部に設けられた図示しない回転軸を介して排紙トレイ１５ｂに取り付けられており、回転軸を中心に回転して、排紙トレイ１５ｂから記録用紙１００の排出側へ飛び出る。この補助トレイ４４により、排出側へ排出された記録用紙１００が排出部６から飛び出ることが防止される。この場合、アンテナ４１は、補助トレイ４４に設けられている。この変形例によれば、補助トレイ４４の上面が、通信端末２００が設置される端末設置部４５であるから、排出部６から飛び出た補助トレイ４４に、通信端末２００が設置されることで、通信端末２００によって、排出部６から排出されてきた記録用紙１００が、外に飛び出すことがより確実に防止される。また、補助トレイ４４にアンテナ４１が設けられているから、補助トレイ４４に設置された通信端末２００とアンテナ４１との距離が非常に短くなり、無線通信を良好に行うことができる。なお、この変形例においては、補助トレイ４４は、排紙トレイ１５ｂに回転可能に設けられているが、補助トレイは、排紙トレイ１５ｂに摺動可能に設けられ、前方へ引き出し可能となっている構成であってもよい。
【００６０】
なお、端末設置部は、給紙カセット１５の内部であって、メイントレイ１５ａの上面に設けられてもよい。この場合、アンテナ４１は、メイントレイ１５ａに設けられる。
【００６１】
また、アンテナ４１は通信モジュール４１ａと接続されることから、基板（上述の実施形態では、パネル制御基板３８）上に設けられることが好ましい。ここで、アンテナ４１を設置するために、アンテナ４１の専用基板を設けると、コストの増加、装置の大型化等の面から好ましくない。このため、インクカートリッジ基板上（上述の変形例）や、制御基板２９上に配置されることが好ましい。制御基板２９にアンテナ４１を設けた場合、その下方の位置において、排紙トレイ１５ｂに端末設置部を設ければよい。
【００６２】
また、上述の実施形態においては、ＮＦＣにより、インクジェットプリンタ１と通信端末２００間で近距離無線通信を行っているが、ＮＦＣに限られず、ＲＦＩＤ等により、近距離無線通信を行う構成であってもよい。また、通信端末は、携帯電話やスマートフォン等に限らず、ＩＣカード、ＩＣタグ等であってもよい。また、近距離無線通信により通信されるデータは、記録データに限らず、例えばインクジェットプリンタへのログイン情報等のデータであってもよい。
【００６３】
また、上述の実施形態においては、給紙カセット１５の上面が排紙トレイ１５ｂとなっているが、給紙カセットと排紙トレイが一体ではなく、給紙カセットと排紙トレイが離れた位置に設けられており、給紙カセットの上面が排紙トレイとなっていなくてもよい。
【００６４】
また、上述の実施形態においては、インクジェットプリンタ１は、インクジェット方式の記録装置となっているが、記録方式は、インクジェット方式に限られず、レーザー方式、ＬＥＤ方式等であってもよい。また、インクジェット方式においても、ライン型のインクジェット方式であってもよい。
【符号の説明】
【００６５】
１  インクジェットプリンタ（記録装置）
２  プリンタ筐体（筐体）
３  カバー
４  プリンタ部（記録部）
５  給紙機構
６  排出部
７  メンテナンスユニット
８  スキャナ部
９  操作パネル
１５  給紙カセット
１５ａ  メイントレイ
１５ｂ  排紙トレイ（排出面）
３８  パネル制御基板
３９  端末設置部
４０  マーク
４１  アンテナ（通信部）
７６  通信制御回路
１００  記録用紙（被記録媒体）
２００  通信端末
【図１】
2014004687.tif 000003
【図２】
2014004687.tif 000004
【図３】
2014004687.tif 000005
【図４】
2014004687.tif 000006
【図５】
2014004687.tif 000007
【図６】
2014004687.tif 000008
【図７】
2014004687.tif 000009
【図８】
2014004687.tif 000010
【図９】
2014004687.tif 000011
【図１０】
2014004687.tif 000012